【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
前記可変表示装置に表示結果が導出される前に入賞の発生を許容するか否かを決定する事前決定手段と、
遊技者に対して特典を付与するか否かを決定する特典付与決定手段と、
前記事前決定手段により特定入賞の発生を許容する旨が決定された場合に前記特典付与決定手段により第１の確率で前記特典を付与する旨が決定される第１のモードに制御する第１のモード制御手段と、
前記事前決定手段により前記特定入賞の発生を許容する旨が決定された場合に前記特典付与決定手段により前記第１の確率よりも高い第２の確率で前記特典を付与する旨が決定される第２のモードに制御する第２のモード制御手段と、
前記事前決定手段により前記特定入賞の発生を許容する旨が決定された可能性を示唆する特定入賞示唆演出を実行する特定入賞示唆演出実行手段と、
を備え、
前記第２のモードから前記第１のモードへ移行してから所定期間が経過するまでは、少なくとも前記特典付与決定手段により前記特典を付与する旨が決定されていない場合に、該所定期間経過後よりも前記特定入賞示唆演出実行手段による前記特定入賞示唆演出が実行される割合が低い
ことを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
遊技用価値（メダル）を用いて１ゲームに対して所定数の賭数を設定することによりゲームが開始可能となるとともに、各々が識別可能な複数種類の識別情報（図柄）を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン（スロットマシン１）であって、
前記可変表示装置（リール２Ｌ、２Ｃ、２Ｒ）に表示結果が導出される前に入賞の発生を許容するか否かを決定する事前決定手段（内部抽選）と、
遊技者に対して特典（ナビストック）を付与するか否かを決定する特典付与決定手段（ＡＴ抽選）と、
前記事前決定手段（内部抽選）により特定入賞（弱チェリー、強チェリー／単独ベル、左ベル）の発生を許容する旨が決定された場合に前記特典決定付与手段（ＡＴ抽選）により第１の確率（低確率）で前記特典（ナビストック）を付与する旨が決定される第１のモード（ベルモード／チェリーモード）に制御する第１のモード制御手段と、
前記事前決定手段（内部抽選）により前記特定入賞（弱チェリー、強チェリー／単独ベル、左ベル）の発生を許容する旨が決定された場合に前記特典決定付与手段により前記第１の確率（低確率）よりも高い第２の確率（高確率）で前記特典（ナビストック）を付与する旨が決定される第２のモード（チェリーモード／ベルモード）に制御する第２のモード制御手段と、
前記事前決定手段（内部抽選）により前記特定入賞の発生を許容する旨が決定された可能性を示唆する特定入賞示唆演出（小役当選示唆演出）を実行する特定入賞示唆演出実行手段と、
を備え、
前記第２のモード（チェリーモード／ベルモード）から前記第１のモード（ベルモード／チェリーモード）へ移行してから所定期間（演出制限ゲーム）が経過するまでは、少なくとも前記特典付与決定手段により前記特典（ナビストック）を付与する旨が決定されていない場合に、該所定期間経過（演出制限ゲーム）後よりも前記特定入賞示唆演出実行手段による前記特定入賞示唆演出（小役当選示唆演出）が実行される割合が低い
ことを特徴としている。
この特徴によれば、第２のモードから、特定入賞の発生が許容されることで特典の付与が決定される確率が第２のモードよりも低い第１のモードへ移行した後、所定期間が経過するまでは、特定入賞の発生を許容する旨が決定された場合において所定期間経過後よりも特定入賞示唆演出が実行される割合が低くなるため、第２のモードから第１のモードへの移行直後に特定入賞の発生を許容する旨が決定され、かつ特典が付与されなかった場合であっても、それにより遊技者に与えてしまう損失感を極力軽減することができる。
尚、遊技者に対する特典とは、遊技者にとって直接的な有利な特典（遊技用価値が付与される期待値が高い遊技状態に制御される権利など）であっても良いし、遊技者にとって直接的に有利ではないが、例えば、インターネット上で特典を得るための条件となる等、遊技者にとって間接的に有利な特典であっても良い。
また、前記第２のモードから前記第１のモードへ移行してから所定期間が経過するまでは、該所定期間経過後よりも前記特定入賞示唆演出実行手段による前記特定入賞示唆演出が実行される割合が低いとは、前記第２のモードから前記第１のモードへ移行してから所定期間が経過するまで前記特定入賞示唆演出実行手段による前記特定入賞示唆演出が実行されないものを含む。
また、前記第１のモードにおいて特定入賞の発生を許容する旨が決定された場合に前記特典付与決定手段により前記特典を付与する旨が決定される第１の確率は０％を含む。
【手続補正３】
【補正対象書類名】明細書
【補正対象項目名】０００９
【補正方法】変更
【補正の内容】
【０００９】
本発明の手段１に記載のスロットマシンは、請求項１に記載のスロットマシンであって、
前記第２のモード（チェリーモード／ベルモード）から前記第１のモード（ベルモード／チェリーモード）へ移行してから所定期間（演出制限ゲーム）が経過する前であっても、前記特典決定付与手段により前記特典（ナビストック）を付与する旨が決定されている場合には前記特定入賞示唆演出実行手段による前記特定入賞示唆演出（小役当選示唆演出）の実行が制限されない
ことを特徴としている。
この特徴によれば、特典が付与されていれば、特定入賞示唆演出が実行されても遊技者に損失感を与えてしまうことがないうえに、所定期間が経過する前に特定入賞示唆演出が実行されることで積極的に特典が付与されていることに対する遊技者の期待感を高めることができる。
【手続補正４】
【補正対象書類名】明細書
【補正対象項目名】００１０
【補正方法】変更
【補正の内容】
【００１０】
本発明の手段２に記載のスロットマシンは、請求項１または手段１に記載のスロットマシンであって、
前記事前決定手段（内部抽選）により前記特定入賞（弱チェリー、強チェリー／単独ベル、左ベル）の発生を許容する旨が決定されたことを契機に前記特典（ナビストック）が付与された可能性を示唆する特典付与示唆演出（ＡＴ当選示唆演出）を実行する特典付与示唆演出実行手段を備え、
前記第２のモード（チェリーモード／ベルモード）から前記第１のモード（ベルモード／チェリーモード）へ移行してから前記所定期間（演出制限ゲーム）が経過するまでは、少なくとも前記特典付与決定手段により前記特典（ナビストック）を付与する旨が決定されていない場合に、該所定期間経過（演出制限ゲーム）後よりも前記特典付与示唆演出実行手段による前記特典付与示唆演出（ＡＴ当選示唆演出）が実行される割合が低い
ことを特徴としている。
この特徴によれば、第２のモードから、特定入賞の発生が許容されることで特典の付与が決定される確率が第２のモードよりも低い第１のモードへ移行した後、所定期間が経過するまでは、特定入賞の発生を許容する旨が決定された場合において所定期間経過後よりも特定入賞示唆演出だけでなく、特典が付与されている可能性を示唆する特典付与示唆演出が実行される割合も低くなるため、第２のモードから第１のモードへの移行直後に特定入賞の発生を許容する旨が決定され、かつ特典が付与されなかった場合であっても、それにより遊技者に与えてしまう損失感をより確実に軽減することができる。
尚、前記第２のモードから前記第１のモードへ移行してから前記所定期間が経過するまでは、該所定期間経過後よりも前記特典付与示唆演出実行手段による前記特典付与示唆演出が実行される割合が低いとは、前記第２のモードから前記第１のモードへ移行してから前記所定期間が経過するまで前記特典付与示唆演出実行手段による前記特典付与示唆演出が実行されないものを含む。
【手続補正５】
【補正対象書類名】明細書
【補正対象項目名】００１１
【補正方法】変更
【補正の内容】
【００１１】
本発明の手段３に記載のスロットマシンは、手段２に記載のスロットマシンであって、
前記第２のモード（チェリーモード／ベルモード）から前記第１のモード（ベルモード／チェリーモード）へ移行してから所定期間（演出制限ゲーム）が経過する前であっても、前記特典付与決定手段により前記特典（ナビストック）を付与する旨が決定されている場合には前記特典付与示唆演出実行手段による前記特典付与示唆演出（ＡＴ当選示唆演出）の実行が制限されない
ことを特徴としている。
この特徴によれば、特典が付与されていれば、特典付与示唆演出が実行されても遊技者に損失感を与えてしまうことがないうえに、所定期間が経過する前に特典付与示唆演出が実行されることで積極的に特典が付与されていることに対する遊技者の期待感を高めることができる。